(57)【要約】      （修正有）【課題】アナログプレヤーに於いて、演奏のとき室内の灯りを落として使用する事がある、この時の操作性を良くするトーンアームの機構とヘッドシェルに灯りを付ける事に依り、リスナーに視覚的な効果を提供する。【解決手段】トーンアーム(20B)の先端部にLED(1A)を取付け、スイッチ（21）ONで点灯するこのLED(1A)をランプ代わりに使用すし、ランプの照射角度を最適に照射出来るため、DJ演奏の様に室内の灯りを落としてプレイする時などに最も適している又ヘッドシェルを透明又は光を拡散する材料で加工してこのLEDを点等させ、ヘッドシェルの端面または下面より照射してヘッドシェルに柔らかな灯りを発光させる事により、リスナーの視覚に訴えるトーンアーム搭載のレコードプレヤー。【選択図】図７
0003113672.tif 000002
【実用新案登録請求の範囲】
【請求項１】
アナログレコードプレヤーに於いて、トーンアーム(20B)の先端部にLEDホルダー固定リング（3）取付けジョイントボス（4）を介してLEDホルダーアーム（2）の先端にLED（1A）を取り付けジョイントボス（4）を軸にLED（1A）が上下方向に適度なトルクを持って可動する機構とし、LEDの電源はトーンアームチューブ（6）に通しカートリッジの信号線（16）と同じにきキャビ（18）内部まで配線してスィツチ（21）でON時にLED（1A）点灯させ、ライトとして使用する、演奏中カートリッジ（9）、ニ−ドル（11）及びレコード面（10）に光りの照射角度を最適の状態に調整出来る、トーンアーム（20B）搭載のアナログレコードプレヤー
【請求項２】
アナログレコードプレヤーに於いて、トーンアーム（20C）のヘッドシェル（19）を透明又は光を拡散することが出来る材料を選定して加工し、LEDをヘッドシェルの端面（1B）又は下面（1C）の様に取付け、電源はトーンアームチュブ（6）を通しキャビ（18）内部でON、OFFが操作出来る基盤回路によりLEDを点灯、又は点滅させる事により、ヘッドシェル（19）にLEDの光色、或いはLEDの光りによる拡散現象を利用して、リスナーの（人間の五感の一つである）視覚に訴える、トーンアーム（20C）搭載のアナログレコードプレヤー
【考案の詳細な説明】
【技術分野】
【０００１】
アナログレコードプレヤーでDJ、の演奏の時など、演出で室内を暗くしてDJプレイ（演奏）する事があるこの時、トーンアームのニ−ドル(針)（11）の操作性を良くする為にレコード面を明るくするライトに関する
【背景技術】
【０００２】
図6のレコードプレヤーの様に、ターンテーブル（22）の外周位置にキャビネット（18）に固定されている固定ライト（23）が装備されている製品もあるが、この位置からレコードの中心に向かって、灯りを照射している、レコードの内周では外周と比較して、明るさは暗い、当然では有るが、明るさは、光源からの距離の2乗に逆比例するためである。
【０００３】
又従来のアナログプレヤー全盛期の頃のトーンアームに搭載されているライトはシェル一体型で（ヘッドシェルの交換）が出来ない製品で実開昭52-143903、実開昭52-9403、などの文献などある。
【０００４】
欧州規格、ユニバーサルタイプ（ヘッドシェルが交換できる）ではコネクター部の端子が４ヶしかなく図1と図2の断面部で判るようにカートリッジの信号分に充当してあり、ライトの電源用に端子を増やす事は、スペース上困難である又出来たとしても、欧州規格の互換性が無くなる。
【特許文献１】実開昭55-75816号公報
【考案の開示】
【考案が解決しようとする課題】
【０００５】
従来のアナログレコードプレヤー図6の様に固定ライト(23)付きのレコードプレヤーの製品でレコード面（10）を照らす、明るは外周、内周での差がある為この欠点をなくす機構を、又欧州規格のヘッドシェルの交換が可能であるライト付きのトーンアームの製作が望まれていた。
【０００６】
又公開実用昭和55-75816ではレコードの鑑賞のみで使用する時代では、良い考案で有ると思うが現在DJ演奏者が楽器として使用する時、レコードプレヤーを２台使用して演奏する際にアームリフトの上面の導体をスイツチ代りにして光源が点灯する機構を使用することは極めて稀であり、又この操作により曲と曲の空間が出来る、通常ではアームリフトを使用してニ−ドル(針)（11）がレコード面（10）まで落下する時間は２〜5秒程度かかる為にDJの演奏には向かない。
【課題を解決するための手段】
【０００７】
LED素子をライトとして使用する事により、電流容量が小さい為にLED電源リード線（17）を非常に細い線、カートリッジ信号線（16）と同等の線が使用できるため、トーンアームの動きがリード線のフリクションの影響が少なく、又図1の様にトーンアームのターミナルスプリング（15）の手前にLEDホルダー固定リング（3）を設置しその内側にジョイントボス（4）を取付けジョイントボス（4）を介してLEDホルダーアーム（2）の先端にLED（1A）を取付け、ジョイントボス（4）を軸に図3参照適度なトルクで可動する機構としてLEDの電源はトーンアームチュブ（6）に通してキャビ内部迄配線してスイツチ（21）でON時にLED（1A）が点灯しライトとして使用出来る、LEDホルダーアーム（2）によりレコード面（10）の角度を最適に調整できる又LEDライト（1A）はレコード演奏によりニ−ドル(針)（11）が移動するが、移動する通りにLEDライト（1A）がレコー面（10）を照射する為明るさは常に一定である為、レコードの溝を一目で瞬時に確認出来るために操作性が非常に良くなる。
【０００８】
図7レコードプレヤーに於いて、本考案はトーンアーム（20B）の先端に、図1、図2の様に欧州規格のプラグ端子に影響が無い位置で、LEDの電源リード線（17）を配線してある為にヘッドシェル（8）の交換も可能である。
【０００９】
又ヘッドシェル（19）がLEDに依り光るタイプは従来のアナログプレヤーのトーンアームには無く、LEDの取り付け方法を図4（１B）、図5（１C）、の様に色々の取付け方が考えられ、新しい発想のトーンアームになる。
【考案の効果】
【００１０】
LEDライト装備のトーンアームに関して、トーンアームの先端にLEDライト（1A）を取り付けた事により、従来より有るキャビに固定されている、固定ライト（23）の欠点であつたレコード演奏時に内周で暗くなることが無く、スムーズにトーンアームを操作することが可能になり又演奏中どの位置でもレコード面（10）を照らす明るさは一定になり、欧州規格仕様で使うことが出来るために、DJ演奏にも適している。
【００１１】
光るヘッドシェル装備のトーンアームに関して、LEDもカラフルな光色があり、透明又は光の拡散が出来る材料で加工したヘッドシェル（１9）により光りの拡散現象を利用して部屋の灯りを少し落して使用した場合、柔らかな灯りにより癒しの効果を与えることが出来る、レコードの音楽と灯りによる相乗効果をリスナーに与える事が出来る。
【図面の簡単な説明】
【００１２】
【図１】請求項1の実施に関わる部品の構成の側面図、一部断面図である
【図２】請求項1の実施に関わる部品の構成の上面図、一部断面図である
【図３】請求項1の実施に関わる部品の構成の作用図である
【図４】請求項2の実施に関わる部品の構成の側面図、一部断面図である
【図５】請求項2の実施に関わる部品の構成の側面図、一部断面図である
【図６】アナログプレヤーの斜視図である
【図７】LEDライト装備のトーンアーム搭載のレコードプレヤーの斜視図である
【図８】光るヘッドシェル装備のトーンアーム搭載のレコードプレヤーの斜視図である
【符号の説明】
【００１３】
（１A）LED
（１B）LED
（１C）LED
（２）LEDホルダーアーム
（３）LEDホルダー固定リング
（４）ジョイントボス
（５）プラグナット
（６）トーンアームチューブ
（７）ヘッドリード線
（８）ヘッドシェル
（９）カートリッジ
（10）レコード面
（11）ニ−ドル(針)
（12）ヘッドシェルプラグ
（13）プラグピン
（14）ターミナルピン
（15）ターミナルスプリング
（16）カートリッジ信号線
（17）LED電源リード線
（18）キャビ
（19）ヘッドシェル（透明又は光りを拡散する材料の）
（20A）トーンアーム（従来のトーンアーム）
（20B）トーンアーム（LEDライト装備のトーンアーム）
(20C）トーンアーム（光るヘッドシェル装備のトーンアーム）
（21）スィツチ
（22）ターンテーブル    
（23）固定ライト
【図１】
0003113672.tif 000003
【図２】
0003113672.tif 000004
【図３】
0003113672.tif 000005
【図４】
0003113672.tif 000006
【図５】
0003113672.tif 000007
【図６】
0003113672.tif 000008
【図７】
0003113672.tif 000009
【図８】
0003113672.tif 000010